(57)【要約】チャイルドキャリアによってトリガされる折畳機構を有するベビーカーを提供する。本発明は、ベビーカーフレーム（２、５）と、フレーム上に配置されることができるチャイルドキャリア（３）と、展開状態においてフレームをロックすることができるロックコンポーネント（４２、４２’、６５）と、を備えるベビーカー（１、１’）を開示する。チャイルドキャリア（３）は、ベビーカーフレーム（２、５）に関して回転することができ、ベビーカーフレーム（２、５）に関すチャイルドキャリア（３）の枢動中にフレームの折畳動作を可能にする。したがって、本発明はユーザがチャイルドキャリア（３）とベビーカーフレーム（２、５）とを一緒に折り畳むことができ、これにより使用上の利便性がもたらされる。
2021521055.tif 000002
【特許請求の範囲】
【請求項１】
ベビーカーフレームであって、前記ベビーカーフレームの折畳動作を制限するためのロックコンポーネントを有するベビーカーフレームと、
前記ベビーカーフレーム上に配置されているチャイルドキャリアであって、前記チャイルドキャリアは前記ベビーカーフレームに関して位置決めされ又は枢動することができるものであり、前記チャイルドキャリアは、前記チャイルドキャリアの前記ベビーカーフレームに対する枢動運動中に前記ベビーカーフレームの前記折畳動作を可能にするために、リリース力を前記ロックコンポーネントに提供するためのものである、チャイルドキャリアと、
を備えるベビーカー。
【請求項２】
前記ベビーカーフレームは、フロントサポートと、ハンドルサポートとを備え、
前記ロックコンポーネントは、前記ベビーカーフレームの前記折畳動作を制限するために、前記フロントサポートと前記ハンドルサポートとの間に配置されている、
請求項１記載のベビーカー。
【請求項３】
前記ベビーカーフレームはさらに、リアサポートを備え、
前記ロックコンポーネントは、前記ベビーカーフレームの前記折畳動作を制限するために、前記リアサポート、前記フロントサポート及び前記ハンドルサポートのうちの２つの間に配置されている、
請求項２記載のベビーカー。
【請求項４】
前記ロックコンポーネントはラッチコンポーネント、フックコンポーネント又はピンである、
請求項１記載のベビーカー。
【請求項５】
前記ベビーカーフレームはさらに、ロック位置において係合すべき前記ロックコンポーネントをバイアスするために、前記ロックコンポーネントに当接する弾性コンポーネントを備える、
請求項１記載のベビーカー。
【請求項６】
前記ベビーカーフレームはさらに、前記ロック位置において前記ロックコンポーネントと係合するために、アンカーコンポーネント、スロット又は収容スペースを備える、
請求項５記載のベビーカー。
【請求項７】
前記チャイルドキャリアは、ベビーカーシート、バシネット、乳幼児用カーシート、又は、前記ベビーカーシート、前記バシネット、及び前記乳幼児用カーシートのうちのいずれかを取り付けるためのアダプターフレームである、
請求項１記載のベビーカー。
【請求項８】
前記ベビーカーはさらに、前記チャイルドキャリアと前記ロックコンポーネントとの間に配置された接続コンポーネントを備え、
前記接続コンポーネントは、前記チャイルドキャリアが前記ベビーカーフレームに関して回転する場合に、前記ベビーカーフレームの前記折畳動作を可能にするために、前記ロックコンポーネントを駆動して移動させる、
請求項１記載のベビーカー。
【請求項９】
前記ベビーカーフレームはさらに、前記ベビーカーフレームの表面上に配置され、前記ロックコンポーネントに対応するリリース部分を有し、
前記リリース部分は、前記リリース力を受け取り、前記リリース力を前記ロックコンポーネントに伝達するものであり、前記リリース部分が前記リリース力を受け取る場合に、前記ロックコンポーネントを駆動して移動させるためのものである、
請求項１記載のベビーカー。
【請求項１０】
前記リリース部分は、
前記ベビーカーフレームの表面上に配置され、前記リリース力を受け取って前記リリース力を前記ロックコンポーネントに伝達するためにロックコンポーネントに対応し、前記リリース部分が前記リリース力を受け取る場合に、前記ロックコンポーネントを駆動し移動させる、駆動コンポーネントを備える、
請求項９記載のベビーカー。
【請求項１１】
前記駆動コンポーネントは、押圧コンポーネント、回転コンポーネント、レバースイッチ、又はロッカー型スイッチである、
請求項１０記載のベビーカー。
【請求項１２】
前記チャイルドキャリアは、押圧することにより、引っ張ることにより、又は回転することにより、前記リリース力を前記駆動コンポーネントに提供する、
請求項１０記載のベビーカー。
【請求項１３】
前記駆動コンポーネントは、押圧することにより、引っ張ることにより、又は回避スペースを前記駆動コンポーネントに提供することにより、前記リリース力を前記ロックコンポーネントに伝達する、
請求項１０記載のベビーカー。
【請求項１４】
前記ベビーカーフレームはさらに、
前記駆動コンポーネントから伝達される前記リリース力を受け取り、前記リリース力を前記ロックコンポーネントに伝達して、前記ロックコンポーネントを駆動して移動させるために、前記ロックコンポーネントと、前記駆動コンポーネントとの間に配置された、少なくとも１つのリンク要素を備える、
請求項１０記載のベビーカー。
【請求項１５】
少なくとも１つの駆動傾斜表面は、前記駆動コンポーネント上に形成されており、
前記チャイルドキャリアは、前記チャイルドキャリアと前記少なくとも１つの駆動傾斜表面とが協働することによって、前記駆動コンポーネントを押圧する、
請求項１０記載のベビーカー。
【請求項１６】
前記ベビーカーフレームはさらに、前記チャイルドキャリアが前記ベビーカーフレームの上にマウントされること可能にするためのチャイルドキャリアマウントを備え、
前記駆動コンポーネントは、前記チャイルドキャリアマウント上に可動に配置されており、前記チャイルドキャリアの下に位置している、
請求項１０記載のベビーカー。
【請求項１７】
前記チャイルドキャリアは、中空ガイド部分を備え、
前記駆動コンポーネントは、部分的にかつ摺動可能に前記中空ガイド部分内に挿入され、
前記駆動コンポーネントの一端は、前記中空ガイド部分の外に露出する、
請求項１６記載のベビーカー。
【請求項１８】
前記リリース部分はさらに、前記チャイルドキャリア上に配置されたリリースコンポーネントであって、前記リリース力を受け取り、前記リリース力を前記ロックコンポーネントに伝達するために前記ロックコンポーネントに対応し、前記ロックコンポーネントを駆動して移動させ、前記リリースコンポーネントが前記リリース力を受け取る場合に、前記ベビーカーの折畳動作を可能にする、リリースコンポーネントを備える、
請求項１６記載のベビーカー。
【請求項１９】
前記ベビーカーはさらに、操作コンポーネントを備え、
前記リリースコンポーネントは、前記操作コンポーネントが接続されることを可能にするための固定端を有し、
前記操作コンポーネントは、前記チャイルドキャリアが前記ベビーカーフレームに関して回転しない場合に、前記ベビーカーの前記折畳動作を可能にするために、前記リリースコンポーネントによって前記ロックコンポーネントに前記リリース力を提供するためのものである、
請求項１８記載のベビーカー。
【請求項２０】
前記リリースコンポーネントは前記チャイルドキャリアマウント上に、枢動可能に、摺動可能に又は係合可能に配置されている、
請求項１８記載のベビーカー。
【請求項２１】
前記ロックコンポーネントを押圧するために、前記チャイルドキャリアマウントの内側に位置する前記リリースコンポーネントの一端に、リリース傾斜表面が形成されている、
請求項１８記載のベビーカー。
【請求項２２】
前記リリースコンポーネントは、押圧コンポーネント、回転コンポーネント、レバースイッチ、又はロッカー型スイッチである、
請求項１８記載のベビーカー。
【請求項２３】
前記リリースコンポーネントは、押圧すること、引っ張ること、又は、前記駆動コンポーネントに回避スペースを提供することにより、前記リリース力を前記ロックコンポーネントに伝達する、
請求項１８記載のベビーカー。
【請求項２４】
前記チャイルドキャリアは、前記ベビーカーフレームに可動かつ着脱可能に取り付けられたベースを有する、
請求項１記載のベビーカー。
【請求項２５】
前記チャイルドキャリアはさらに、前記ベビーカーフレームに関する前記チャイルドキャリアの枢動運動を制限するか又は可能にするための位置決め機構を有する、
請求項２４記載のベビーカー。
【請求項２６】
前記位置決め機構は、取り付け側から離れた前記ベースの一側に配置された枢動機構を有し、
前記ベビーカーフレームはさらにロック部分を有し、
前記ロックコンポーネントは前記ロック部分に位置し、
前記枢動機構の枢動軸は前記ベース及び前記ロック部分を介して延在し、
前記チャイルドキャリアは、前記チャイルドキャリアが前記ベビーカーフレームに関して前記枢動軸まわりに枢動する場合に、前記ベビーカーフレームの折畳動作を可能にするために、前記リリース力を前記ロックコンポーネントに提供する、
請求項２５記載のベビーカー。
【請求項２７】
前記ベビーカーフレームはさらに、前記ベビーカーフレームの表面上に配置され、前記枢動軸に対応するリリース部分を備え、
前記リリース部分は、前記リリース力を受け取り、前記リリース力を前記ロックコンポーネントに伝達するためのものであり、前記リリース部分が前記リリース力を受け取る場合に、前記ロックコンポーネントを駆動して移動させる、
請求項２６記載のベビーカー。
【請求項２８】
前記リリース部分は、駆動コンポーネント、リリースコンポーネント、又はそれらの組み合わせを有する、
請求項２７記載のベビーカー。
【請求項２９】
少なくとも１つの貫通孔が、前記ベース上に形成されており、前記リリース部分に対応する、
請求項２７記載のベビーカー。
【請求項３０】
前記枢動機構は、前記少なくとも１つの貫通孔に対応して配置された当接コンポーネントを備え、
前記当接コンポーネントは、前記枢動機構の運動によって駆動されており、前記少なくとも１つの貫通孔を通過し、前記ベビーカーフレームの折畳動作を可能にするために、前記リリース部分を押圧することによって、前記リリース力を前記リリース部分に提供する、
請求項２７記載のベビーカー。
【請求項３１】
前記チャイルドキャリアは、前記ベビーカーフレーム上に可動に配置された少なくとも２つの取り付け要素を有する、
請求項１記載のベビーカー。
【請求項３２】
前記少なくとも２つの取り付け要素は、第１取付け要素と第２取付け要素とを備え、
前記第１取付け要素は、前記ベビーカーフレーム上に、着脱可能に配置されており、
前記チャイルドキャリアは、前記第１取り付け要素が前記ベビーカーフレームから取り外される場合に、前記第２取り付け要素及び前記ベビーカーフレームの接続シャフトまわりに、前記ベビーカーフレームに関して枢動することができる、
請求項３１記載のベビーカー。
【請求項３３】
前記ベビーカーフレームはさらに、
フロントサポートと、
ハンドルサポートと、
リアサポートと、
前記フロントサポート、前記ハンドルサポート、及び前記リアサポートのうちの１つに固定された第１固定コンポーネントと、
前記フロントサポート、前記ハンドルサポート、及び前記リアサポートのうちの別の１つに固定された第２固定コンポーネントであって、前記第２固定コンポーネントは前記第１固定コンポーネントに枢着されている、第２固定コンポーネントと、を備え、
前記ロックコンポーネントの第１端は、前記第１固定コンポーネント上に配置されており、
前記ロックコンポーネントの第２端は、前記第２固定コンポーネントに係合するためのものであり、前記ベビーカーフレームの折畳動作を制限し、
前記チャイルドキャリアは、前記駆動コンポーネントを押圧し、前記ロックコンポーネントの第２端を前記第２固定コンポーネントから係合解除し、前記ベビーカーフレームに対する前記チャイルドキャリアの枢動運動中に前記ベビーカーフレームの折畳動作を可能にする、
請求項１０記載のベビーカー。
【請求項３４】
前記ベビーカーフレームはさらに、前記第２固定コンポーネントと係合して前記ロックコンポーネントの前記第２端をバイアスするために、前記ロックコンポーネントに当接する弾性コンポーネントを備える、
請求項３３記載のベビーカー。
【請求項３５】
前記ロックコンポーネントの前記第２端を前記第２固定コンポーネントから係合解除するように、前記ロックコンポーネントを押圧するために、前記駆動コンポーネントの端部に駆動傾斜表面が形成されている、
請求項３３記載のベビーカー。
【請求項３６】
前記ロックコンポーネントの第２端に駆動傾斜部分が形成されており、前記駆動傾斜部分は、前記駆動傾斜表面と協働するために、前記駆動コンポーネントに向かって屈曲している、
請求項３５記載のベビーカー。
【請求項３７】
ロックコンポーネントは、前記第１固定コンポーネントに枢着されており、
前記駆動コンポーネントはロックコンポーネントを押圧し、前記ロックコンポーネントの前記第２端を前記第２固定コンポーネントから揺動方法で係合解除する、
請求項３３記載のベビーカー。
【請求項３８】
前記第２固定コンポーネントから係合部分が突出し、
前記係合部分と係合するために、前記ロックコンポーネントに係合ノッチが形成されている、
請求項３７記載のベビーカー。
【請求項３９】
前記ベビーカーフレームはさらに、
第３固定コンポーネントと、
リンクコンポーネントと、を備え、
前記第１固定コンポーネントは、前記リアサポートに取り付けられており、
前記第２固定コンポーネントは、前記フロントサポートに取り付けられており、
前記第３固定コンポーネントは、前記ハンドルサポートに取り付けられており、前記第１固定コンポーネントに枢着されており、
前記リンクコンポーネントの２つの反対端は、前記第２固定コンポーネント及び前記第３固定コンポーネントにそれぞれ枢着されている、
請求項３７記載のベビーカー。
【請求項４０】
前記ロックコンポーネントは、前記第１固定コンポーネント上に配置されており、
前記駆動コンポーネントは、前記ロックコンポーネントを押圧し、前記ロックコンポーネントの前記第２端を前記第２固定コンポーネントから摺動方法で係合解除する、
請求項３３記載のベビーカー。
【請求項４１】
前記ロックコンポーネントを挿入できるようにするために、展開係合スロットが前記第２固定コンポーネントに形成されており、
前記ベビーカーフレームが展開状態へと展開される場合に、前記ロックコンポーネントは前記展開係合スロットと整列される、
請求項４０記載のベビーカー。
【請求項４２】
前記ロックコンポーネントの挿入を可能にするために、前記第２固定コンポーネントに折畳係合スロットが形成されており、
前記ロックコンポーネントは、前記ベビーカーフレームが折畳状態へと折り畳まれる場合に、前記折畳係合スロットと整列される、
請求項４０記載のベビーカー。
【請求項４３】
前記ロックコンポーネントを押圧するために、前記折畳係合スロットの内周面上に押圧傾斜表面が形成されている、
請求項４２記載のベビーカー。
【請求項４４】
前記第１固定コンポーネントは、前記フロントサポートに取り付けられており、
前記第２固定コンポーネントは、前記ハンドルサポートに取り付けられている、
請求項４０記載のベビーカー。
【発明の詳細な説明】
【技術分野】
【０００１】
本発明は請求項１の前段部分によるベビーカーに関する。
【背景技術】
【０００２】
ベビーカーは、乳幼児や子供のいる家族にとって不可欠なものである。ベビーカーは、乳幼児や子供に安全で快適な環境を提供するだけでなく、介護者が移動する際に乳幼児や子供を運ぶのに便利である。ベビーカーは、通常、折り畳み可能な構造を有しており、そのため、ベビーカーの輸送又は保管時に、ベビーカーの占有スペースを減らすためにベビーカーを折り畳むことができる。
【０００３】
ベビーカーは、通常、ベビーカーフレームと、ベビーカーフレームに取り付けられたシートと、を含む。ベビーカーフレームは、ベビーカーの主要な構造であり、シート、バシネット、又は乳幼児用カーシートなどの他のコンポーネント又はキャリアを支持する。キャリアは、乳幼児又は子供のための着席空間を提供するためのものである。現在、市販されている折り畳み可能なベビーカーには、大きく分けて２種類がある。第１に、キャリアは、ベビーカーフレームから取り外し可能であり、ベビーカーフレームは、シートの取り外し後にベビーカーフレームの折畳動作を可能にするために、ロック解除可能である。第２に、キャリアは、枢動して折り畳み可能であり、ベビーカーフレームは、シートの枢動運動後にベビーカーフレームの折畳動作を可能にするためにロック解除されることができる。しかしながら、上述の折り畳み可能なベビーカーは、ベビーカーを折り畳みながらベビーカーフレームとシートを独立して動作させる必要があり、不便である。
【０００４】
したがって、チャイルドキャリアによってトリガされる折畳機構を有し、チャイルドキャリアの枢動運動中にベビーカーフレームの折畳動作を可能にするベビーカーを提供する必要がある。
【発明の概要】
【０００５】
本発明は、チャイルドキャリアによってトリガされる折畳機構を有し、チャイルドキャリアの枢動運動中にベビーカーフレームの折畳動作を可能にするベビーカーを提供することを目的とするものである。
【０００６】
これは、請求項１に記載のベビーカーによって達成される。従属請求項は、対応するさらなる開発及び改良に関連する。
【０００７】
以下の詳細な説明からより明確に分かるように、請求項に記載されたされたベビーカーは、ロックコンポーネントとチャイルドキャリアとを有するフレームを含む。ロックコンポーネントは、ベビーカーフレームの折畳動作を選択的に制限又は許可するためのものである。チャイルドキャリアは、ベビーカーフレームに枢着され（pivoted  to）、ベビーカーフレームに関する（relative  to）チャイルドキャリアの枢動運動中にベビーカーフレームの折畳動作を可能にする。
【０００８】
本発明の一実施形態によれば、ベビーカーフレームは、フロントサポートと、ハンドルサポートとを含む。ロックコンポーネントは、ベビーカーフレームの折畳動作を制限する（restraining）ために、フロントサポートとハンドルサポートとの間に配置されている。
【０００９】
本発明の一実施形態によれば、ベビーカーフレームは、リアサポートをさらに含む。ロックコンポーネントは、ベビーカーフレームの折畳動作を制限するために、リアサポート、フロントサポート、及びハンドルサポートのうちの２つの間に配置される。
【００１０】
本発明の一実施形態によれば、ロックコンポーネントは、ラッチコンポーネント、フックコンポーネント又はピンである。
【００１１】
本発明の一実施形態によれば、ベビーカーフレームは、ロック位置において係合されるべきロックコンポーネントをバイアスするために、ロックコンポーネントに当接する弾性コンポーネントをさらに含む。
【００１２】
本発明の一実施形態によれば、ベビーカーフレームは、ロック位置においてロックコンポーネントと係合するために、アンカーコンポーネント、スロット、又は収容スペースをさらに含む。
【００１３】
本発明の一実施形態によれば、チャイルドキャリアは、ベビーカーシート、バシネット、乳幼児用シート、又は、ベビーカーシート、バシネット、及び乳幼児用シートのうちのいずれかを取り付けるためのアダプターフレームである。
【００１４】
本発明の一実施形態によれば、ベビーカーはさらに、チャイルドキャリアとロックコンポーネントとの間に配置された接続コンポーネントを備える。接続コンポーネントは、チャイルドキャリアがベビーカーフレームに関して回転する場合に、ロックコンポーネントを駆動して移動させ、ベビーカーフレームの折畳動作を可能にする。
【００１５】
本発明の一実施形態によれば、ベビーカーフレームはさらに、ベビーカーフレームの表面上に配置され、ロックコンポーネントに対応するリリース部分を有する。リリース部分は、リリース力を受け取り、リリース力をロックコンポーネントに伝達するためのものであり、リリース部分がリリース力を受け取る場合に、ロックコンポーネントを駆動して移動させる。
【００１６】
本発明の一実施形態によれば、リリース部分は、駆動コンポーネントは、ベビーカーフレームの表面に配置されており、リリース力を受け取り、リリース力をロックコンポーネントに伝達するためにロックコンポーネントに対応し、リリース部分がリリース力を受け取る場合に、ロックコンポーネントを駆動して移動させる。
【００１７】
本発明の一実施形態によれば、駆動コンポーネントは、押圧コンポーネント、回転コンポーネント、レバースイッチ、又はロッカータイプのスイッチ（rocker  type  switch）である、
【００１８】
本発明の一実施形態によれば、チャイルドキャリアは、押圧することにより、引っ張ることにより、又は回転することにより、リリース力を駆動コンポーネントに提供する、
【００１９】
本発明の一実施形態によれば、駆動ユニットは、押圧することにより、引っ張ることにより又は駆動コンポーネントに回避スペースを提供することにより、リリース力をロックコンポーネントに伝達する。
【００２０】
本発明の一実施形態によれば、ベビーカーフレームはさらに、ロックコンポーネントと駆動コンポーネントとの間に配置された少なくとも１つのリンク要素を備え、駆動コンポーネントから伝達されたリリース力を受け取り、リリース力をロックコンポーネントに伝達し、ロックコンポーネントを駆動して移動させる。
【００２１】
本発明の一実施形態によれば、少なくとも一つの駆動傾斜表面は、駆動コンポーネント上に形成されており、チャイルドキャリアは、チャイルドキャリアと少なくとも１つの駆動傾斜表面とが協働することによって、駆動コンポーネントを押圧する。
【００２２】
本発明の一実施形態によれば、ベビーカーフレームはさらに、チャイルドキャリアを取り付けることを可能にするためのチャイルドキャリアマウントを備え、駆動コンポーネントは、チャイルドキャリアマウント上に可動に配置されており、チャイルドキャリアの下に位置している。
【００２３】
本発明の一実施形態によれば、チャイルドキャリアマウントは、中空ガイド部分を含み、駆動コンポーネントは、部分的にかつ摺動可能に中空ガイド部内に挿入され、駆動コンポーネントの一端は、中空ガイド部分の外に露出する。
【００２４】
本発明の一実施形態によれば、リリース部分は、チャイルドキャリア上に配置されており、かつ、リリース力を受け取り、リリース力をロックコンポーネントに伝達し、ロックコンポーネントを駆動して移動させ、リリース部分が前記リリース力を受け取る場合にベビーカーの折畳動作を可能にするために、ロックコンポーネントに対応する。
【００２５】
本発明の一実施形態によれば、ベビーカーはさらに、操作コンポーネントを含む。リリースコンポーネントは、操作コンポーネントが接続されることを可能にするための固定端を有する。操作コンポーネントは、チャイルドキャリアがベビーカーフレームに関して回転しない場合に、ベビーカーの折畳動作を可能にするために、リリースコンポーネントによってロックコンポーネントにリリース力を提供するためのものである。
【００２６】
本発明の一実施形態によれば、リリースコンポーネントはチャイルドキャリアマウント上に、枢動可能に、摺動可能に又は係合可能に配置されている。
【００２７】
本発明の一実施形態によれば、リリース傾斜表面は、ロックコンポーネントを押圧するために、チャイルドキャリアマウントの内側に位置するリリースコンポーネントの一端に形成されている。
【００２８】
本発明の一実施形態によれば、リリースコンポーネントは、押圧コンポーネント、回転コンポーネント、レバースイッチ、又はロッカー型スイッチである。
【００２９】
本発明の一実施形態によれば、リリースコンポーネントは、押圧することにより、引っ張ることにより又は駆動コンポーネントに回避スペースを提供することにより、リリース力をロックコンポーネントに伝達する。
【００３０】
本発明の一実施形態によれば、チャイルドキャリアは、可動に、着脱可能に、ベビーカーフレームに取り付けられるベースを含む。
【００３１】
本発明の一実施形態によれば、チャイルドキャリアはさらに、ベビーカーフレームに関してチャイルドキャリアの枢動運動を制限するか又は可能にするための位置決め機構を有する。
【００３２】
本発明の一実施形態によれば、位置決め機構は、ベースの、取り付け側から離れた一側に配置された枢動機構を有する。ベビーカーフレームは、ロック部分をさらに備え、ロックコンポーネントは、ロック部分に位置し、枢動機構の枢動軸はベース及びロック部分を介して延在し、チャイルドキャリアは、チャイルドキャリアがベビーカーフレームに関して枢動軸周りに枢動する場合に、ベビーカーフレームの折畳動作を可能にするために、ロックコンポーネントにリリース力を提供する。
【００３３】
本発明の一実施形態によれば、ベビーカーフレームはさらに、ベビーカーフレームの表面上に配置され、枢動軸に対応するリリース部分を有する。リリース部分は、リリース力を受け取り、リリース力をロックコンポーネントに伝達するためのものであり、リリース部分がリリース力を受け取る場合に、ロックコンポーネントを駆動して移動させる。
【００３４】
本発明の一実施形態によれば、リリース部分は、駆動コンポーネント、リリースコンポーネント、又はそれらの組み合わせを含む。
【００３５】
本発明の一実施形態によれば、少なくとも１つの貫通孔が、ベース上に形成されており、前記リリース部分に対応する。
【００３６】
本発明の一実施形態によれば、枢動機構は、少なくとも１つの貫通孔に対応して配置された当接コンポーネントを備える。当接コンポーネントは、枢動機構の運動によって駆動されており、前記少なくとも１つの貫通孔を通過し、ベビーカーフレームの折畳動作を可能にするために、リリース部分を押圧することによって、リリース力をリリース部分に提供する。
【００３７】
本発明の一実施形態によれば、チャイルドキャリアは、ベビーカーフレーム上に可動に配置された少なくとも２つの取り付け要素を有する。
【００３８】
本発明の一実施形態によれば、少なくとも２つの取付け要素は、第１取付け要素と第２取付け要素とを含む。第１取付け要素は、ベビーカーフレームに、着脱可能に配置されている。チャイルドキャリアは、第１取り付け要素がベビーカーフレームから取り外される場合に、ベビーカーフレームに関して、ベビーカーフレーム及び第２取り付け要素の接続シャフト周りに枢動することができる。
【００３９】
本発明の一実施形態によれば、ベビーカーフレームは、フロントサポート、ハンドルサポート、リアサポート、第１固定コンポーネント及び第２固定コンポーネントを含む。第１固定コンポーネントは、フロントサポート、ハンドルサポート及びリアサポートのうちの１つに取り付けられる。第２固定コンポーネントは、フロントサポート、ハンドルサポート及びリアサポートのうちの別の１つに取り付けられる。第２固定コンポーネントは、第１固定コンポーネントに枢着されている。ロックコンポーネントの第１端部は、第１固定コンポーネントに配置されている。ロックコンポーネントの第２端部は、第２固定コンポーネントと係合するためのものであり、ベビーカーフレームの折り畳み式の動作を制限し、チャイルドキャリアは駆動コンポーネントを押圧し、ロックコンポーネントの第２端部を第２固定コンポーネントから係合解除し、ベビーカーフレームに対するチャイルドキャリアの枢動運動中に、ベビーカーフレームの折畳動作を可能にする。
【００４０】
本発明の一実施例によれば、ベビーカーフレームはさらに、ロックコンポーネントの第２端をバイアスして第２固定コンポーネントと係合するためにロックコンポーネントに当接する弾性コンポーネントを備える。
【００４１】
本発明の一実施形態によれば、駆動傾斜表面は、ロックコンポーネントを押圧するために、駆動コンポーネントの一端に形成され、ロックコンポーネントの第２端部を第２固定コンポーネントから係合解除する。
【００４２】
本発明の一実施形態によれば、傾斜部分は、ロックコンポーネントの第２端部の上に形成され、駆動傾斜表面と協働するために、駆動コンポーネントに向かって屈曲する。
【００４３】
本発明の一実施形態によれば、ロックコンポーネントは第１固定コンポーネントに枢動し、駆動コンポーネントはロックコンポーネントを押圧し、ロックコンポーネントの第２端部を第２固定コンポーネントから揺動方法で係合解除する。
【００４４】
本発明の一実施形態によれば、係合部分は第２固定コンポーネントから突出し、係合部分と係合するために係合ノッチがロックコンポーネント上に形成される。
【００４５】
本発明の一実施形態によれば、ベビーカーフレームは、第３固定コンポーネントと、リンクコンポーネントをさらに含む。第１固定コンポーネントは、リアサポートに固定される。第２固定コンポーネントは、フロントサポートに固定される。第３固定コンポーネントは、ハンドルサポートに固定され、第１固定コンポーネントに枢着され、リンクコンポーネントの２つの反対端は、第２固定コンポーネント及び第３固定コンポーネントにそれぞれ枢着される。
【００４６】
本発明の一実施形態によれば、ロックコンポーネントは、第１固定コンポーネントに摺動可能に配置されており、駆動コンポーネントはロックコンポーネントを押圧し、ロックコンポーネントの第２端を第２固定コンポーネントから摺動方法で係合解除する。
【００４７】
本発明の一実施形態によれば、展開係合スロットは、ロックコンポーネントを挿入可能にするために、第２固定コンポーネント上に形成され、ロックコンポーネントは、ベビーカーフレームが展開状態に展開されている場合に、展開係合スロットに整列される。
【００４８】
本発明の一実施形態によれば、折畳係合スロットは、ロックコンポーネントを挿入可能にするために、第２固定コンポーネント上に形成され、ロックコンポーネントは、ベビーカーフレームが折畳状態へと折り畳まれる場合に、折畳係合スロットと整列される。
【００４９】
本発明の一実施形態によれば、押圧傾斜表面が、ロックコンポーネントを押圧するために、折畳係合スロットの内周面上に形成されている。
【００５０】
本発明の一実施形態によれば、第１固定コンポーネントは、フロントサポートに固定され、第２固定コンポーネントは、ハンドルサポートに固定される。
【００５１】
従来技術とは対照的に、本発明は、チャイルドキャリアがベビーカーフレームに関して枢動する間のベビーカーフレームの折畳動作を可能にする。したがって、ベビーカーフレームは、チャイルドキャリアが取り付けられており、枢動して折り畳まれる場合に、折り畳まれることが可能であり、ベビーカーフレームを折り畳むときに、ベビーカーフレームとチャイルドキャリアとの独立した操作の必要はなく、ユーザがベビーカーフレームとチャイルドキャリアとを一緒に折り畳むのに便利な方法を提供する。
【００５２】
本発明のこれら及び他の目的は、種々の図面及び図面に示されている好ましい実施形態の以下の詳細な説明を読んだ後に、当業者には明らかになるであろう。
【図面の簡単な説明】
【００５３】
以下では、添付の図面を参照しながら、本発明を一例としてさらに説明する。
【図１】本発明の第１実施形態によるベビーカーを模式的に示す図である。
【図２】本発明の第１実施形態によるベビーカーの部分を示す図である。
【図３】本発明の別の実施形態によるベビーカーの概略を示す図である。
【図４Ａ】本発明の異なる実施形態によるチャイルドキャリアを示す図である。
【図４Ｂ】本発明の異なる実施形態によるチャイルドキャリアを示す図である。
【図４Ｃ】本発明の異なる実施形態によるチャイルドキャリアを示す図である。
【図４Ｄ】本発明の異なる実施形態によるチャイルドキャリアを示す図である。
【図５Ａ】本発明の第１実施形態によるベビーカーの部分を拡大して示す図である。
【図５Ｂ】本発明の第１実施形態によるベビーカーの部分を拡大して示す図である。
【図５Ｃ】本発明の第１実施形態によるベビーカーの部分を拡大して示す図である。
【図６Ａ】本発明の第２実施形態によるベビーカーの部分を拡大して示す図である。
【図６Ｂ】本発明の第２実施形態によるベビーカーの部分を拡大して示す図である。
【図６Ｃ】本発明の第２実施形態によるベビーカーの部分を拡大して示す図である。
【図７Ａ】本発明の第３実施形態によるベビーカーの部分を拡大して示す図である。
【図７Ｂ】本発明の第３実施形態によるベビーカーの部分を拡大して示す図である。
【図７Ｃ】本発明の第３実施形態によるベビーカーの部分を拡大して示す図である。
【図７Ｄ】本発明の第３実施形態によるベビーカーの部分を拡大して示す図である。
【図８Ａ】本発明の第４実施形態による位置決め機構を示す図である。
【図８Ｂ】本発明の第４実施形態による位置決め機構を示す図である。
【図８Ｃ】本発明の第４実施形態による位置決め機構を示す図である。
【図８Ｄ】本発明の第４実施形態による位置決め機構を示す図である。
【図８Ｅ】本発明の第４実施形態による位置決め機構を示す図である。
【図８Ｆ】本発明の第４実施形態による位置決め機構を示す図である。
【図９】本発明の第１実施形態によるベビーカーフレームが折畳状態にあるベビーカーを模式的に示す図である。
【図１０】本発明の第１実施形態による図９に示すベビーカーのＡ部分を拡大して示す図である。
【図１１】本発明の第５実施形態に係るベビーカーの部分を拡大して示す図である。
【図１２】本発明の第５実施形態による、カバーコンポーネントを図示しないベビーカーの部分を示す図である。
【図１３】本発明の第６実施形態によるベビーカーを模式的に示す図である。
【図１４】本発明の第６実施形態による、カバーコンポーネントを図示しないベビーカーの部分を示す図である。
【図１５】本発明の第６実施形態による、ベビーカーフレームが展開状態にあるベビーカーの断面を示す図である。
【図１６】本発明の第６実施形態によるベビーカーフレームの折畳状態のベビーカーの断面を示す図である。
【発明を実施するための形態】
【００５４】
本発明は、ベビーカーフレーム上に設けられるチャイルドキャリアを利用して、ベビーカーフレームの折畳動作を可能にし、容易な折畳操作という目的を達成することができる、ベビーカーを提供するものである。具体的には、チャイルドキャリアは、チャイルドキャリアがベビーカーフレーム上に配置される場合に、ベビーカーフレームに関して枢動することができる。ベビーカーフレームのロックコンポーネントは、ベビーカーフレームに関するチャイルドキャリアの枢動運動中に、チャイルドキャリアによってベビーカーフレームの折畳動作を可能にすることができる。本発明のベビーカーの詳細な説明は、以下の通りである。
【００５５】
図１及び図２を参照されたい。図１は、本発明の第１実施形態によるベビーカー１の概略図である。図２は、本発明の第１実施形態によるベビーカー１の部分図である。図１及び図２に示すように、ベビーカー１は、ベビーカーフレーム２と、チャイルドキャリア３とを備える。ベビーカーフレーム２は、展開状態においてベビーカーフレーム２の折畳動作を制限するためのロックコンポーネントを有する。ロックコンポーネントは、ベビーカーフレーム２の少なくとも一部の動作を制限するために、ベビーカーフレーム２の内部又は外側表面に配置することができ、展開状態におけるベビーカーフレームの折畳動作を制限することができる。チャイルドキャリア３は、ベビーカーフレーム２上に配置され、ベビーカーフレームに対するチャイルドキャリア３の使用角度又は使用状態を、実際的な使用要求に応じて調整するために、ベビーカーフレーム２に関して位置決めされ又は枢動されることができる。さらに、チャイルドキャリア３がベビーカーフレーム２に関して枢動する場合、チャイルドキャリア３は、ロックコンポーネントを移動させるためにロックコンポーネントにリリース力を提供することができ、したがってベビーカーフレームの折畳動作を可能にする。
【００５６】
ベビーカーフレームは、主に、前輪に接続されたフロントサポート、後輪に接続されたリアサポート、及びハンドルに接続されたハンドルサポートを含む。しかし、これに限定されるものではない。例えば、図３を参照されたい。図３は、本発明の別の実施形態によるベビーカー１’の概略図である。図３に示すように、この実施形態では、ベビーカー１’のハンドルサポート２４は、上ハンドルサポートコンポーネント２４１及び下ハンドルサポートコンポーネント２４２をさらに備えることができ、上ハンドルサポートコンポーネント２４１は、下ハンドルサポートコンポーネント２４２に関して折畳可能であり、したがって折畳状態におけるベビーカーフレームの占有スペースを低減することができる。
【００５７】
ロックコンポーネントの数及び構成は、ベビーカーフレームの構成に応じて決定することができる。例えば、ロックコンポーネントは、フロントサポートとハンドルサポートとの間に配置されることができ、あるいは、フロントサポート、リアサポート、及びハンドルサポートのうちの１つの運動を制限するために、フロントサポート、リアサポート、及びハンドルサポートに接続されたセントラルハブ上に配置されることもでき、したがってベビーカーフレームの折畳動作を制限することができる。さらに、ベビーカーフレームは、複数のロックコンポーネントを含むことができる。例えば、図３に示すように、この実施形態では、ベビーカーフレーム２は、ベビーカーフレームの折畳動作を制限するために、２つのロックコンポーネントを含むことができる。２つのロックコンポーネントのうちの一方は、上ハンドルサポートコンポーネント２４１と下ハンドルサポートコンポーネント２４２との折畳動作を制限するために、ハンドルサポート２４の上ハンドルサポートコンポーネント２４１と下ハンドルサポートコンポーネント２４２との間に配置される。２つのロックコンポーネントのうちの他方は、下ハンドルサポートコンポーネント２４２のフロントサポート２３に関する折畳動作を制限するために、下ハンドルサポートコンポーネント２４２とフロントサポート２３との間に配置される。ベビーカーフレーム上に何個のロックコンポーネントが配置されているかに関わりなく、ベビーカーフレーム内に複数のロックコンポーネントが存在すると、チャイルドキャリアの枢動運動中に、チャイルドキャリアは、ベビーカーフレームの折畳動作を可能にするために、１つ以上のロックコンポーネントにリリース力を選択的に供給することができる。
【００５８】
また、ロックコンポーネントの構造は、ベビーカーフレームの構造に応じて決定されることもできる。例えば、一実施形態では、ベビーカーフレームにスロットが設けられていると、ロックコンポーネントは、ロック位置でスロットと係合するためのスロットのサイズに対応する大きさの突出部を含むことができる。あるいは、別の実施形態では、ベビーカーフレームに外方に突出する突出部分が設けられている場合、ロックコンポーネントは、ロック位置において突出部分と係合するフックコンポーネントを含むことができる。上述したように、例えば、ロックコンポーネントは、ラッチコンポーネント、フックコンポーネント、又はピンであることができる。しかしながら、これに限定されるものではない。本発明の範囲内には、ベビーカーフレームの折畳動作を制限するために、ロック位置において係合することができる任意の構造が含まれ得る。さらに、例えば、ベビーカーフレームは、ロック位置においてロックコンポーネントと係合するために、アンカーコンポーネント、スロット、又は収容スペースをさらに含む。しかしながら、これに限定されるものではない。ロック位置においてロックコンポーネントと係合することができる任意の構造が、本発明の範囲内に含まれ得る。
【００５９】
ロックコンポーネントの係合を確実にするために、ベビーカーフレームは、ロック位置において係合されるべきロックコンポーネントをバイアスするために、ロックコンポーネントに当接する弾性コンポーネントをさらに含むことができる。かかる構成のために、リリース力は弾性コンポーネントの弾性力に打ち勝たなければならず、ロックコンポーネントをロック位置から離れるように駆動し、それによってベビーカーフレームの構造の安定性を高めることができる。
【００６０】
上記のように、ロックコンポーネントの数、構成、及び構造は、ベビーカーフレームの構成及び構造に応じて決定され得る。さらにまた、ロックコンポーネントは、ベビーカーフレームの外観及び固定及び折畳動作の要件にしたがって、ベビーカーフレームの内部又は外側表面上に配置することができ、又は、設計上の柔軟性を提供するために、部分的にベビーカーフレームの内部に配置し、部分的にベビーカーフレームの外側表面から露出させることができる。
【００６１】
図４Ｄ〜図４Ａを参照されたい。図４Ａ〜図４Ｄは、本発明の異なる実施形態によるチャイルドキャリア３の図である。図４Ａ〜図４Ｄに示すように、チャイルドキャリア３は、子供を直接的又は間接的に支持するために使用され、ベビーカーフレーム上に配置されるキャリアであり得る。例えば、チャイルドキャリアは、図４Ａに示すようなベビーカーシート、図４Ｂに示すようなバシネット、図４Ｃに示すような乳幼児用カーシート、又は上記装置のいずれかを支持するための図４Ｄに示すようなアダプタであってもよい。しかし、これに限定されるものではない。子供を直接的又は間接的に支持することができる任意の構造が、本発明の範囲内に含まれ得る。
【００６２】
また、チャイルドキャリア３がベビーカーフレーム上に配置された後、ベビーカーフレームに関するチャイルドキャリアの使用角度及び使用状態を調整することができる。例えば、チャイルドキャリアがベビーカーシートであれば、ベビーカーシートの背もたれ部の傾斜角は、実際の要求に応じて調整されることができる。あるいは、別の実施形態では、ベビーカーを折り畳むことが望まれる場合、チャイルドキャリアは、チャイルドキャリアの枢動によって、地面に平行な水平状態から地面に垂直な垂直状態に調整されることができる。前述の調整は、チャイルドキャリア全体をベビーカーフレームに関して枢動させることによって、又はチャイルドキャリアの一部をチャイルドキャリアの別の部分に対して枢動させることによって達成され得ることに留意されたい。
【００６３】
チャイルドキャリア全体がベビーカーフレームに関して枢動する場合、チャイルドキャリアはベビーカーフレームに関するチャイルドキャリアの枢動軸を提供するためにベビーカーフレーム上に配置された取り付け要素を含むことができ、その結果、チャイルドキャリアは枢動軸周りにベビーカーフレームに関して枢動することができる。具体的には、図１、図２及び図４Ａに示すように、チャイルドキャリア３は、ベース３１、すなわち取り付け要素、を含むことができ、ベビーカーフレーム２は、ベース３１をその上に取り付けることを可能にするチャイルドキャリアマウント２１を含むことができる。チャイルドキャリア３がベース３１とチャイルドキャリアマウント２１によってベビーカーフレーム２に取り付けられる場合、ベース３１、チャイルドキャリアマウント２１、ベビーカーフレーム２及びチャイルドキャリア３を貫通する枢動軸Ａ１が設けられる。さらに、図４Ａに示されるように、チャイルドキャリ３は位置決め機構をさらに備え、位置決め機構はベースの取り付け側から離れた側に配置された枢動機構３２を有し、したがって、位置決め機構がリリースされた場合又は枢動機構３２が枢動する場合には、チャイルドキャリア３はベビーカーフレーム２に関して枢動軸Ａ１周りに枢動することができる。あるいは、別の実施形態では、チャイルドキャリアは、２つの異なる枢動軸を提供するために少なくとも２つの取り付け要素によって、ベビーカーフレーム上に配置され得る。一方の取り付け要素がベビーカーフレームから取り外される場合、チャイルドキャリアは、他方の取り付け要素の枢動軸の周りの取り付け要素を取り外している間に、運動エネルギをリリースすることによって、ベビーカーフレームに関して枢動するように駆動されることができる。
【００６４】
他方、図４Ａに示すように、チャイルドキャリア３が、例えば背もたれ部３０１及びシート部３０２のように、互いに関して枢動できる異なる部分を含む場合には、ロックコンポーネントをリリースするために、１つの部分、例えば背もたれ部分３０１の、他の部分、例えばシート部分３０２に関する枢動運動を用いることができる。あるいは、別の実施形態では、背もたれ部分がシート部分に関して所定の角度において枢動された後、チャイルドキャリア全体をベビーカーフレームに対して枢動させて、ロックコンポーネントにリリース力を提供することができる。
【００６５】
本発明で提供されるチャイルドキャリアは、ベビーカーフレームの折畳動作を可能にするように、チャイルドキャリアの枢動運動の間、ロックコンポーネントにリリース力を提供することができる。しかしながら、チャイルドキャリアによって提供されるリリース力は、ロックコンポーネントに直接又は間接的に作用することができる。リリース力の詳細については、以下のとおりである。
【００６６】
ロックコンポーネントが、ベビーカーフレームの外側表面に配置されるか、又は、部分的に外側表面から露出し且つ部分的にベビーカーフレームの内部に配置されると、チャイルドキャリアは、ロックコンポーネントにリリース力を直接提供することができる。例えば、チャイルドキャリアは、相互作用コンポーネント、例えば突出ブロックを含むことができる。突出ブロックは、ロックコンポーネントにリリース力を提供する前には、チャイルドキャリアの枢動運動と干渉しない。また、ロックコンポーネントは、部分的にベビーカーフレームの内部に配置され、部分的に外側表面から露出することができ、さらに、突出ブロックと協働するために外側表面から露出される相互作用部分を含むことができる。例えば、ロックコンポーネントの上部は、フロントサポートとリアサポートとの間に配置された、リアサポートに関するフロントサポートの運動を制限するピンを含むことができる。ロックコンポーネントの下部は、レバーを含む。レバーの支点は、ベビーカーフレームに固定され、レバーの延在端部は、ベビーカーフレームに形成された貫通孔を通過し、ベビーカーフレームの外側表面から露出する。相互作用部分は、ベビーカーフレームの外側表面の露出されたレバーの延在端部に配置され、突出ブロックの移動経路上に位置する。突出ブロックがチャイルドキャリアの枢動運動に沿って移動する場合、突出ブロックは相互作用部分を押圧して内方に移動させ、ピンを支点によって外方に移動させるようにして、リアサポートに関するフロントサポートの移動を可能にする。あるいは、別の実施形態では、ロックコンポーネントは、ピンの代わりに左右に揺動するフックコンポーネントを含むことができる。同様に、レバーの支点は、ベビーカーフレームに固定され、レバーの延在端部は、ベビーカーフレームに形成された貫通孔を通過し、ベビーカーのフレームの外側表面から露出する。相互作用部分は、ベビーカーフレームの外側表面の露出レバーの延在端部に配置され、突出ブロックの移動経路上に配置される。突出ブロックがチャイルドキャリアの枢動運動に沿って移動する場合、突出ブロックは相互作用部分を押圧して時計回り方向に移動させ、フックコンポーネントを支点によって時計回り方向に移動させてロック位置から離れるようにし、ベビーカーフレームの折畳動作を可能にする。
【００６７】
ロックコンポーネントにリリース力を直接提供するための相互作用コンポーネントを提供することとは別に、一実施形態では、チャイルドキャリアは、ロックコンポーネントに間接的にリリース力を提供することもできる。例えば、ベビーカーは、チャイルドキャリアとロックコンポーネントとの間に配置された接続コンポーネントを含むことができる。接続コンポーネントは、ストラップであり得る。ストラップの一端はチャイルドキャリア上に配置され、ストラップの他端は、外方に延在してベビーカーフレームの外側表面の外に露出するロックコンポーネントに固定される。チャイルドキャリアがベビーカーフレームに関して枢動する場合、ストラップは、チャイルドキャリアの枢動運動によって駆動され、ロックコンポーネントをロック位置から離れるように引っ張り、ベビーカーフレームの折畳動作を可能にする。
【００６８】
さらに、リリース力は、任意の他のコンポーネントによって間接的にロックコンポーネントに伝達され得る。本発明の一実施形態では、ロックコンポーネントがベビーカーフレームの内部に配置されると、ベビーカーフレームはさらにリリース部分を含むことができ、リリース部分は、ベビーカーフレームの外側表面に配置され、チャイルドキャリアによって提供されるリリース力を受け取り、ロックコンポーネントにリリース力を伝達して、ロックコンポーネントを移動させるために、ロックコンポーネントに対応する。
【００６９】
本発明において提供される第１実施形態では、図１、図２、及び図５Ａを参照すると、リリース部分は、ベビーカーフレーム２の外側表面に配置された、ロックコンポーネント４２に対応する駆動コンポーネント４１を含むことができる。駆動コンポーネント４１の一端は、ベビーカーフレーム２の外側表面から露出しており、駆動コンポーネント４１の他端は、ロックコンポーネント４２と直接接触する。チャイルドキャリア３がベビーカーフレーム２に関して枢動する場合、駆動コンポーネント４１は、チャイルドキャリア３又はその上の相互作用コンポーネント（図示せず）によって駆動され移動することができ、したがってロックコンポーネント４２をロック位置４２３から離脱させるように駆動されることができ、これにより、ベビーカーフレームの内部に配置されたロックコンポーネントへのアクセスが困難であるという問題を解決する。さらに、駆動コンポーネントは、異なるタイプの構造を含むことができる。チャイルドキャリア又は相互作用コンポーネントによって駆動されることができる任意の構造、又は、ロックコンポーネントをロック位置から離れるように駆動することができる任意の構造を、本発明の範囲内に含めることができる。例えば、駆動コンポーネントは、押圧コンポーネント、回転コンポーネント、レバースイッチ、又はロッカー型スイッチであることができる。しかしながら、これに限定されるものではない。駆動コンポーネントが押圧コンポーネントであれば、チャイルドキャリアは、チャイルドキャリアの枢動運動の間に押圧コンポーネントを押圧することができる。駆動コンポーネントが回転コンポーネントであれば、チャイルドキャリアは、チャイルドキャリアの枢動運動の間に、回転コンポーネントを駆動して回転させることができる。駆動コンポーネントがレバースイッチ又はロッカータイプのスイッチであれば、チャイルドキャリアは、チャイルドキャリアの枢動運動中に駆動コンポーネントを枢動させることができる。
【００７０】
上述の運動及びリリース力の伝達を容易にするために、一実施形態では、図５Ａを参照すると、少なくとも１つの駆動傾斜表面４１１が駆動コンポーネント４１上に形成され、チャイルドキャリア３は、チャイルドキャリア３と、少なくとも１つの駆動傾斜表面４１１との協働によって駆動コンポーネント４１を押圧する。さらに、駆動コンポーネント４１の両側にそれぞれに、２つの駆動傾斜表面４１１が形成されていると、チャイルドキャリア３の前方枢動運動中、又はチャイルドキャリア３の後方枢動運動中に、チャイルドキャリア３と対応する駆動傾斜表面４１１との協働によって、駆動コンポーネント４１を移動させることができる。
【００７１】
さらに、一実施形態では、ベビーカーフレームは、駆動コンポーネントを中に移動させるための中空ガイド部分をさらに含むことができる。かかる構成により、駆動コンポーネントがリリース力を受け取った後、駆動コンポーネントは、中空ガイド部分の内部に向かって摺動し、ロックコンポーネントをロック位置から離れるように駆動し、駆動コンポーネントの摺動運動は、中空ガイド部分によってガイドされ、リリース力の伝達を容易にすることができる。具体的には、図１、図２及び図５Ａを参照すると、中空ガイド部分２１１は、チャイルドキャリア３をその上され取り付けることができるようにするためのチャイルドキャリアマウント２１上に配置することができる。チャイルドキャリア３がベビーカーフレーム２上に配置される場合、中空ガイド部分２１１はチャイルドキャリア３の下に位置し、駆動コンポーネント４１は部分的に中空ガイド部分２１１に摺動可能に挿入される。駆動コンポーネント４１の端部は、チャイルドキャリア３又はその上の相互作用コンポーネントと接触するために中空ガイド部分２１１から露出される。
【００７２】
さらに、駆動コンポーネントは、リリース力の伝達のために、直接的又は間接的にロックコンポーネントと接触することができる。駆動コンポーネントがロックコンポーネントと直接接触すると、駆動コンポーネントは、ロックコンポーネントを押圧し、引っ張り、又は回避スペースを提供することによって、ロックコンポーネントにリリース力を提供することができる。例えば、駆動コンポーネントは、ベビーカーフレームに枢着されることができる。駆動コンポーネントの端部は、ロックコンポーネントに当接することができる。ロックコンポーネントは、ロック位置から離れるようにバイアスされているが、駆動コンポーネントの当接のためにロック位置に留まる。チャイルドキャリア又は相互作用コンポーネントが、チャイルドキャリアの枢動運動中に駆動コンポーネントを駆動して枢動させる場合、駆動コンポーネントは、ロックコンポーネントから分離され、ロックコンポーネントのための回避空間を提供するように駆動することができ、その結果、駆動コンポーネントは、ロック位置から離れるように駆動されて、ベビーカーフレームの折畳動作を可能にする。
【００７３】
他方では、駆動コンポーネントが間接的にロックコンポーネントにリリース力を提供すると、ベビーカーフレームは、駆動コンポーネントによって提供されるリリース力を受け取り、ロックコンポーネントにリリース力を伝達して、ロックコンポーネントをロック位置から離れるように駆動するために、駆動コンポーネントとロックコンポーネントとの間に配置されたリンク要素をさらに含むことができる。具体的には、リンク要素は、ロックコンポーネントを駆動して移動させるために、ロックコンポーネント上に固定されることができる。あるいは、別の実施形態では、リンク要素はロック要素に枢着されることができ、したがって、リンク要素がリリース力を受け取った場合に、ロック位置から離れるように、ロックコンポーネントをリンク要素の移動方向とは異なる方向に移動させる。しかしながら、これに限定されるものではない。ロックコンポーネントと駆動コンポーネントとの間に配置されることができ、駆動コンポーネントからリリース力を受け取り、ベビーカーフレームをリリースするためにそれをロックコンポーネントに伝達することができる任意の構造は本発明の範囲内に含まれることができる。
【００７４】
一実施形態によると、リリース部分はさらに、ロックコンポーネントにリリース力を提供するための選択肢を提供するリリースコンポーネントを含むことができ、又は、ロックコンポーネントを駆動コンポーネントと協働して移動させるように駆動することができる。駆動コンポーネントと同様に、リリースコンポーネントは、チャイルドキャリアマウント上に配置され、ロックコンポーネントをロック位置から離れさせるためにリリース力を受け取るためのロックコンポーネントに対応して、ベビーカーフレームの折畳動作を可能にする。さらにまた、リリースコンポーネントはチャイルドキャリアマウント上に、枢動可能に、摺動可能に又は係合可能に配置されている。リリースコンポーネントは、押圧することにより、引っ張ることにより又は駆動コンポーネントに回避スペースを提供することにより、ロックコンポーネントと接触し、リリースコンポーネントとロックコンポーネントとの接点及び、駆動コンポーネントとロックコンポーネントとの接点は、同一であることができ、又は同一でないこともできる。リリースコンポーネントの操作は、駆動コンポーネントと同様である。詳細な説明は、簡略化のためにここでは省略する。リリースコンポーネントはまた、押圧コンポーネント、回転コンポーネント、レバースイッチ、又はロッカー型スイッチであることができる。しかしながら、これに限定されるものではない。
具体的には、図６Ａ〜図６Ｃを参照されたい。図６Ａ〜図６Ｃは、本発明の第２実施形態によるベビーカーの部分を拡大して示す図である。図６Ａ〜図６Ｃに示すように、この実施形態では、リリースコンポーネント４８は、チャイルドキャリアマウント２１上に枢動可能に配置された押圧コンポーネントである。リリースコンポーネント４８は、ロックコンポーネント４２’と接触する押圧傾斜表面４８１を含む。リリースコンポーネント４８及びロックコンポーネント４２’の接点及び駆動コンポーネント４１とロックコンポーネント４２’との接点は、異なる位置に位置することができる。リリースコンポーネント４８の外側表面４８２がチャイルドキャリア３の枢動によって押圧されると、リリースコンポーネント４８はロックコンポーネント４２’に向かって移動し、ロックコンポーネント４１をロック位置から離れるように駆動し、係合コンポーネント４４から分離させ、したがって、ベビーカーフレーム２の折畳動作を可能にする。
【００７５】
さらに、リリースコンポーネントがロックコンポーネントにリリース力を提供するための選択肢として提供されると、ベビーカーは、操作コンポーネントをさらに含むことができ、操作コンポーネントは、ベビーカーフレーム又はチャイルドキャリア上に直接配置されるか、又は容易な操作のためにチャイルドキャリアがベビーカーフレーム上に取り付けられた後に、ベビーカーフレーム上に配置されて、チャイルドキャリアを通過することができる。リリースコンポーネントは、操作コンポーネントへの接続のために固定端を有する。チャイルドキャリアがベビーカーフレームに取り付けられているかどうかに関わりなく、ユーザは、この構成のためにストラップを引っ張ることによってリリースコンポーネントを駆動して移動させることができ、ベビーカーフレームの折畳動作を可能にし、ユーザにベビーカーフレームを折り畳むための複数の方法を提供する。
図７Ａ〜図７Ｄを参照されたい。図７Ａ〜図７Ｄは、本発明の第３実施形態によるベビーカーの部分を拡大して示す図である。図７Ａ〜図７Ｄに示すように、この実施形態では、リリースコンポーネント４９は、ベビーカーフレーム２上に枢動可能に配置され、ロックコンポーネント４５と接触する押圧傾斜表面４９１を含む。さらに、操作コンポーネントは、ベビーカーフレーム２に配置される図示されていないストラップである。開口４９２は、リリースコンポーネント４９の端部に形成されることができ、ストラップを固定することを可能にする。ストラップがユーザによって上方に引っ張られる場合、ストラップは、リリースコンポーネント４９をロックコンポーネント４５に向かって枢動させるように駆動することができ、したがって、押圧傾斜表面４９１によってロックコンポーネント４５をロック位置から離れさせるように駆動し、ベビーカーフレーム２の折畳動作を可能にする。しかしながら、本発明はこれに限定されるものではない。操作コンポーネントはまた、リリースコンポーネントを、任意の他の機構によって枢動させるように駆動することができ、したがって、ロックコンポーネントをロック位置から離れさせるように駆動して、ベビーカーフレームの折畳動作を可能にすることができる。
【００７６】
さらに、ベビーカーフレームから露出される要素を低減することによってベビーカーフレームの外観及び構成をより簡潔にするために、また、ベビーカーフレームを、チャイルドキャリアの使用角度又は使用状態の調整中に折り畳むことを可能にするために、一実施形態では、リリースコンポーネントは、チャイルドキャリアの位置決め機構とさらに協働することができる。位置決め機構は、当接コンポーネントを含み、当接コンポーネントは位置決め機構の内部に配置され、位置決め機構の調整運動中に移動するように駆動される当接コンポーネントを含む。リリースコンポーネントは、チャイルドキャリアマウント上に設置され、当接コンポーネントに対応して位置する。位置決め機構の調整運動中に当接コンポーネントが移動される場合、当接コンポーネントは、ベビーカーフレームの折畳動作を可能にするために、リリースコンポーネントを駆動することができる。実施形態の詳細な説明は、以下の通りである。
【００７７】
前述の実施形態と同様に、チャイルドキャリアは、ベビーカーフレーム上に直接固定されることができ、又はチャイルドキャリアのベースをチャイルドキャリアマウントに結合することによってベビーカーフレーム上に着脱可能に配置されることができる。しかしながら、チャイルドキャリアがどのようにベビーカーフレームと組み合わされるかに関わりなく、チャイルドキャリアの位置決め機構は、チャイルドキャリアフレームとベビーカーフレームとを組み合わせた後の、リリース部分とロックコンポーネントとに対応する位置に位置する。さらに、ベビーカーフレームに関する位置決め機構の枢動軸は、ロック部分とリリース部分を通過し、ロック部分とリリース部分と位置決め機構とが同一の枢動軸上に位置するようになっている。
【００７８】
さらに、本実施形態のロック部分及びリリース部分の構造及び動作原理は、前述のものと同様であってもよい。例えば、リリース部分はまた、ロックコンポーネントをリリースするために、リリースコンポーネント、駆動コンポーネント、又はそれらの両方を選択的に含むことができる。詳細な説明は、簡略化のためにここでは省略する。
【００７９】
さらに、位置決め機構は、チャイルドキャリアの使用角度を調整及び位置決めするために、さらに、必要に応じて、チャイルドキャリアのベビーカーフレームに関する位置決めを容易にするために用いられることができる。換言すれば、位置決め機構は、チャイルドキャリアの１つの部分、例えば背もたれ部分を、チャイルドキャリアの別の部分、例えばシート部分に関して枢動させることを可能にし、又はチャイルドキャリア全体をベビーカーフレームに関して枢動させて、チャイルドキャリアのベビーカーフレームに対する角度を調整することができる。本実施形態の位置決め機構の構造及び動作原理は、上述したものと同様である。詳細な説明は、簡略化のためにここでは省略する。さらにまた、位置決め機構は、ベースの一側に配置された枢動機構を有する。枢動機構の枢動軸はベース及びロック部分を通過する。チャイルドキャリアは、ベビーカーフレームの折畳動作を可能にするための枢動機構によって、ベビーカーフレームに関して枢動することができる。さらに、枢動機構によるチャイルドキャリアの使用角度又は使用状態の調整の詳細な説明は、簡略化のためにここでは省略する。ロック、枢動、及びベビーカーフレームに関するチャイルドキャリアの位置決めの機能を達成することができる、駆動機構、トリガ機構、リンク機構、歯車機構、溝構造、弾性機構、又はそれらの組合せ等を含む任意の枢動機構は、本発明の範囲内に含まれ得る。
【００８０】
本発明の一実施形態において、位置決め機構は、当接コンポーネントを含み、当接コンポーネントは位置決め機構の内部に配置され、位置決め機構の調整運動中に移動するように駆動されることに留意されたい、さらに、少なくとも１つの貫通孔は、チャイルドキャリアのベース上に形成されることができ、当接コンポーネントに対応することができる。当接コンポーネントは、位置決め機構の内部に配置され、チャイルドキャリアが使用状態で配置される場合に、ベビーカーフレームのリリース部分と干渉しない。チャイルドキャリアが使用状態から折畳状態に切り替わると、当接コンポーネントは、ロック部を押圧するために、貫通孔を通ってロック部分に向かって延びるように移動され、ロックコンポーネントをロック部分から離れるように駆動し、これによりベビーカーフレームの折畳動作が可能となる。しかしながら、当接コンポーネントは、任意の構造によって移動するように駆動されることができ、実際の設計要求に依存する。
【００８１】
特に、図８Ａ〜図８Ｆを参照されたい。図８Ａ〜図８Ｆは、本発明の第４実施形態による位置決め機構３２を示す図である。図８Ａ〜図８Ｆに示すように、この実施形態では、２つの貫通孔３１１はチャイルドキャリア３のベース３１上に形成され、例えは位置決め機構３２などの当接コンポーネント３３が枢動機構の運動によって移動する場合、当接コンポーネント３３が貫通孔３１１を通って延在することを可能にする。チャイルドキャリア３が使用状態に位置するとき、当接コンポーネント３３は、位置決め機構３２の内部に位置するように弾性コンポーネント３４によって駆動され、ベビーカーフレームのリリース部分と干渉しない。さらにまた、位置決め機構３２は、ピン部分３５及び駆動スロット３６をさらに含む。ピン部分３５は駆動スロット３６に当接し、ピン部分３５の端部は当接コンポーネント３３に当接する。駆動スロット３６は、溝スロットであり、溝スロットの深さは、深いものから浅いものまである。したがって、背もたれ部分３０１がシート部分３０２に向かって枢動されると、駆動スロット３６はピン部３５を駆動して、当接コンポーネント３３を駆動して外方に移動させ、弾性部材３４の弾性力に打ち勝って、例えば位置決め機構３２などの枢動機構の運動によって当接コンポーネント３３を移動させるという目的と、貫通孔３１を通過する当接コンポーネントによってリリース部分にリリース力を提供する目的とを達成し、チャイルドキャリア３の枢動運動中にベビーカーフレームの折畳動作を可能にする機能を達成する。しかしながら、上述の実施形態は、明らかに、位置決め機構３２によって当接コンポーネント３３を駆動するための多くの方法のうちの１つにすぎない。当接コンポーネントを駆動する機能を達成することができ、リリース部分にリリース力を提供する、駆動機構、トリガ機構、リンク機構、歯車機構、溝構造、弾性機構、又はそれらの組合せ等を含む任意の位置決め機構は、本発明の範囲内に含まれ得る。
【００８２】
要約すると、本発明は、チャイルドキャリアによってトリガされる折畳機構を有し、ベビーカーフレームに関するチャイルドキャリアの枢動運動によってベビーカーフレームの折畳動作を可能にするベビーカーを提供するものである。したがって、ベビーカーを折り畳むことが所望される場合、チャイルドキャリアを操作するだけでよく、ベビーカーフレームからチャイルドキャリアを取り外す必要はない。さらに、ベビーカーは、駆動コンポーネントを利用し、ベビーカーのフレームの内部に配置されたロックコンポーネントへのアクセスが困難であるという問題を解決する。さらに、ベビーカーは、リリースコンポーネントを利用し、ロックコンポーネントをリリースするか、又は、ロックコンポーネントに作用するリリース力を強化するための駆動コンポーネントと共にロックコンポーネントをリリースするための選択肢をユーザに提供する。また、本発明は、チャイルドキャリアの使用角度の調整中にベビーカーフレームを折り畳むことができるように、ベビーカーフレームの折畳動作を可能にするために、リリースコンポーネントを押圧する位置決め機構を利用する方法も提供する。したがって、従来技術とは対照的に、本発明は、ベビーカーフレームに関するチャイルドキャリアの枢動運動中にベビーカーフレームの折畳動作を可能にするために、駆動コンポーネントを押圧するためにシートを利用する。それ故、ベビーカーフレームは、シートが枢動して折り畳まれる場合に折り畳まれることが可能であり、ベビーカーを折り畳むときベビーカーフレームとシートとを独立して操作する必要はなく、ユーザがベビーカーフレームとシートとを一緒に折り畳むのに便利な方法を提供する。
【００８３】
本発明の技術的仕様及び構造的特徴、ならびに達成された目的及び効果を説明するために、関連する実施形態及び図面を以下に説明する。図１に示すように、ベビーカー１は、ベビーカーフレーム２と、チャイルドキャリアの一例としてベビーカーフレーム２に枢動するシート３と、２つの例示的な折り畳み機構４とを備えている。
【００８４】
図１に示すように、シート３がベビーカーフレーム２に対して枢動され、ベビーカーフレーム２が２つの折り畳み機構４によって折り畳まれていない状態でロックされていることは、使用状態の一例である。各折り畳み機構４は、ベビーカーフレーム２上に可動に配置された例示的な駆動コンポーネント４１を含む。シート３の枢動運動中に、２つの駆動コンポーネント４１がシート３によって押され、ベビーカーフレーム２の折畳動作を可能にするためにベビーカーフレーム２のロックが解除される。
【００８５】
図１及び図２に示すように、ベビーカー１は、ベビーカーフレーム２の２つの反対側の内側に配置された２つのシートマウント２１を含む。各シートマウント２１は、下端に中空ガイド部分２１１を有し、中空ガイド部分２１１は、ベビーカーフレーム２の表面に垂直な方向に突出している。各駆動コンポーネント４１は、対応する中空ガイド部分２１１に部分的かつ摺動可能に挿入され、各駆動コンポーネント４１の端部が対応する中空ガイド部分２１１から露出される。シート３は、２つのシートマウント２１に取り付けられている。２つの駆動コンポーネント４１は、シート３の下に配置される。本発明の一実施形態では、ベビーカー１は、ベビーカーフレーム２に関するシート３の枢動運動を可能しにかつ制限する位置決め機構をさらに含むことができる。位置決め機構の詳細な説明は、簡略化のためにここでは省略する。
【００８６】
少なくとも１つの被駆動斜表面４１１が、対応する中空ガイド部分２１１の外に露出した各駆動コンポーネント４１の端部に形成される。シート３は、シート３の枢動運動中に、２つの駆動コンポーネント４１を押圧し、２つの駆動傾斜表面４１１と接触することにより、２つの中空ガイド部分２１１の内部に向かってそれぞれ摺動する。好ましくは、各駆動コンポーネント４１の端部の前側及び後側にそれぞれ、対応する中空ガイド部分２１１の外に露出する２つの駆動傾斜表面４１１が形成される。したがって、シート３は、シート３の前方枢動運動中に、シート３のシートベース３１と、２つのフロント被駆動傾斜表面４１１との協働により、２つの駆動コンポーネント４１を２つの中空案ガイド部分２１１の内部に向かって摺動させることができ、また、シート３は、シート３の後方枢動運動中に、シート３の横方向部分３２と、２つのリア被駆動傾斜表面４１１との協働により、２つの中空ガイド部分２１１の内部に向かって、２つの駆動コンポーネントを摺動させることができる。換言すると、各駆動コンポーネント４１は、２つの駆動傾斜表面４１１のかかる構成により、シート３が前方に枢動されているか後方に枢動されているかにかかわらず、ベビーカーフレーム２の折畳動作を可能にするために、対応する中空ガイド部分２１１の内部に向かって押圧されることが可能になる。しかしながら、本実施形態に限定されるものではない。別の実施形態では、各駆動コンポーネントに形成された１つの被駆動傾斜表面のみが存在することができ、これは、各駆動コンポーネントが、前方枢動シート又は後方枢動シートのいずれかによって、押圧され、摺動することを可能にするである。
【００８７】
図２及び図５Ａ〜図５Ｃを参照されたい。図５Ａ〜図５Ｃは、本発明の第１実施形態によるベビーカー１の部分を拡大して示す図である。図２及び図５Ａに示すように、フレーム２は、リアサポート２２、フロントサポート２３及びハンドルサポート２４を含む。リアサポート２２、フロントサポート２３及びハンドルサポート２４の各々は、実質的にＵ字形に形成されている。リアサポート２２の２つの上端部の各々は、平坦な構造である枢動コネクト部分２２１を含む。フロントサポート２３及びハンドルサポート２４は、２つの枢動コネクト部分２２１に枢着され、したがって、フロントサポート２３及びハンドルサポート２４がリアサポート２２に関して枢動して折り畳み可能である。ベビーカーフレーム２は、さらに、２つのカバーコンポーネント２５を含む。各カバーコンポーネント２５の形状は、対応する枢動コネクト部分２２１の形状と実質的に一致する。各カバーコンポーネント２５は、駆動コンポーネント４１を除いて、対応する折畳機構４のコンポーネントをカバーするために、対応する枢動コネクト部分２２１の内側をカバーし、そこに固定されている。各カバーコンポーネント２５は、対応するシートマウント２１及び対応する中空ガイド部分２１１と固定され、一体的構造（one-piece  structure）を形成することができる。各中空ガイド部分２１１のチャンバは、対応するカバーコンポーネント２５を貫通する。折畳機構４はさらに、展開状態におけるベビーカーフレーム２の折畳動作を制限するためのロックコンポーネント４２を有する。各駆動コンポーネント４１の端部は、対応するコックコンポーネント４２と接触するために、対応する中空ガイド部分ｋ２１１を介して対応するカバーコンポーネント２５を通過し、したがって、２つのロックコンポーネントは、ベビーカーフレーム２の折畳動作を可能にするために、２つの駆動コンポーネント４１によって移動することができる。
【００８８】
図５Ｂ及び図５Ｃに示すように、各折畳機構４は、第１固定コンポーネント４３、第２固定コンポーネント４４、第３固定コンポーネント４５及びリンクコンポーネント４６をさらに含む。第１固定コンポーネント４３、第２固定コンポーネント４４、第３固定コンポーネント４５、リンクコンポーネント４６、ロックコンポーネント４２は、ベビーカーフレーム２内に容易に収容できるように平坦な構造とすることができる。各第１固定コンポーネント４３は、リアサポート２２の対応する枢動コネクト部分２２１に固定される。各第２固定コンポーネント４４は、フロントサポート２３の対応する端部に固定される。各第３固定コンポーネント４５は、ハンドルサポート２４の対応する端部に固定される。各第１固定コンポーネント４３は、対応する第２固定コンポーネント４４、及び対応する第３固定コンポーネント４５へ枢動する。リンクコンポーネント４６の２つの端部は、第２固定コンポーネント４４及び第３固定コンポーネント４５へ、それぞれ枢動する。係合部分４４１は、各第２固定コンポーネントから突出している。各ロックコンポーネント４２の第１端部は、対応する第１固定コンポーネント４３へ枢動し、係合ノッチ４２１は、対応する係合部分４４１と係合するために各ロックコンポーネント４２の第２端部に形成される。各係合ノッチ４２１は対応する係合部分４４１と係合する場合、対応するロックコンポーネント４２及び対応するリンクコンポーネント４６は、対応する第１固定コンポーネント４３、対応する第２固定コンポーネント４４及び対応する第３固定コンポーネント４５の相対運動を協働して制限する。
【００８９】
駆動傾斜表面４１２は、対応する枢動コネクト部分２２１に隣り合う各駆動コンポーネント４１の端部に形成される。傾斜部分４２２は、各ロックコンポーネント４２の第２端に形成されており、駆動傾斜表面４１２と協働するために、対応する駆動コンポーネント４１に向かって屈曲している。各駆動コンポーネント４１が対応する中空ガイド部分２１１の内部に向かって摺動し、対応する駆動傾斜表面４１２と対応する傾斜部分４２２との協働により、図５Ｃに示すように時計回り方向にスイングインするように、対応するロックコンポーネント４２を押圧する場合、結果として、対応するロックコンポーネント４２の揺動運動により、対応する係合ノッチ４２１が対応する係合部分４４１から係合解除される。各係合ノッチ４２１が対応する係合部分４４１から係合解除された後、対応する第１固定コンポーネント４３、対応する第２固定コンポーネント４４、及び対応する第３固定コンポーネント４５の相対運動は、対応するロックコンポーネント４２及び対応するリンクコンポーネント４６によって制限されない。換言すれば、この時点で、各第２固定コンポーネント４４は、対応する第１固定コンポーネント４３に関して自由に枢動することができ、各第３固定コンポーネント４５は、対応する第１固定コンポーネント４３に関して自由に枢動することができる。
【００９０】
さらに、制限傾斜表面４１３が、各駆動コンポーネント４１の端部に、対応する枢動コネクト部分２２１に隣り合って形成されている。各制限傾斜表面４１３は、対応する駆動傾斜表面４１２に接続され、対応する駆動傾斜表面４１２に関する対応する傾斜部分４２２の摺動距離を制限するためのＶ字型構造を形成する。しかし、本実施形態に限定されるものではない。他の実施形態では、制限傾斜表面４１３は省略することができる。好ましくは、各折畳機構４は、対応する係合コンポーネント４２に当接する弾性コンポーネント４７をさらに含み、対応する係合ノッチ４２１をバイアスして対応する係合部分４４１と係合させる。具体的には、弾性コンポーネント４７は、圧縮ばねとすることができる。圧縮バネの一端は、ロックコンポーネント４２の当接部４２３に当接し、圧縮バネの他端は、図２に示されるカバーコンポーネント２５に当接する。
【００９１】
本実施例において、各折畳機構４は、リアサポート２２上に配置された第１固定コンポーネント４３と、フロントサポート２３上に配置された第２固定コンポーネント４４と、ハンドルサポート２４上に配置された第３固定コンポーネントとを利用して、フロントレッグ２２、リアレッグ２３及びハンドルサポート２４の相対運動、すなわち、リアレッグ２３に関するフロントレッグ２２の枢動運動、及びリアレッグ２３に関するハンドルサポート２４の枢動運動を可能にし、又は制限する目的を達成する。しかし、本発明は、この実施形態に限定されるものではない。別の実施形態では、各折畳機構は、フロントサポート２３及びハンドル２３のうちの一方の、リアサポート２２に関する枢動運動を可能にし、又は制限する目的を達成するために、リアレッグに配置された第１固定コンポーネントと、フロントレッグ及びハンドルのうちの一方に配置された第２固定コンポーネントとを含むことができる。
【００９２】
図１、図９及び図１０を参照されたい。図９は、本発明の第１実施形態によるベビーカーフレーム２が折り畳まれた状態にあるベビーカー１を模式的に示す図である。図１０は、本発明の第１実施形態による図９に示すベビーカー１のＡ部分を拡大して示す図である。ベビーカー１を折り畳むことが望まれる場合、位置決め機構は、ベビーカーフレーム２に関するシート３の枢動運動を可能にするようにリリースされることができる。その後、枢動シート３は２つの駆動コンポーネント４１を押圧することができ、２つの駆動傾斜表面４１１と接触することにより、２つの駆動コンポーネント４１を２つの中空ガイド部分２１１の内部に向かってそれぞれ摺動させることができ、その結果、２つの駆動コンポーネント４１は、２つのロックコンポーネント４２をそれぞれ駆動し、２つの駆動傾斜表面４１２と２つの傾斜部分４２２との協働によって、２つの係合ノッチ４２１を２つの係合部分４４１から係合解除するように、それぞれ２つの係合コンポーネント４２をスウィングさせることができる。前述のプロセスの間に、２つの弾性コンポーネント４７は弾性変形する。各ロックコンポーネント１４２が対応する第２固定コンポーネント４４から係合解除され、対応する第１固定コンポーネント４３、対応する第２固定コンポーネント４４、及び対応する第３固定コンポーネント４５の相対的運動が可能になる場合、対応する第２固定コンポーネント４４及び対応する第３固定コンポーネント４５は対応する第１固定コンポーネント４３に関して枢動することができ、ベビーカーフレーム２を折り畳む目的を達成するために、フロントサポート２３及びハンドルサポート２４が、リアサポート２２に関して枢動して折り畳まれることが可能になる。
【００９３】
この実施形態では、ベビーカーフレーム２の折畳動作を可能にするために、枢動シート３が必要である。別の実施形態では、ベビーカーは、さらに、シートがベビーカーフレームから取り外されている場合に、ベビーカーフレームの折畳動作を可能にする他のコンポーネントを含むことができる。詳細は以下の通りである。
【００９４】
図１１及び図１２を参照されたい。図１１は、本発明の第５実施形態に係るベビーカー１の部分を拡大して示す図である。図１２は、本発明の第５実施形態による、カバーコンポーネント２５を図示しない、ベビーカー１の部分図である。図１１及び図１２に示すように、この実施形態では、ベビーカー１は、さらに、２つのシートマウント２１上にそれぞれ摺動可能に配置された例示的なリリースコンポーネントとして、２つのリリースボタン２６を含む。各リリースボタン２６は、対応する駆動コンポーネント４１の上方に配置される。シート３がベビーカーフレーム２から取り外される場合、２つのリリースボタン２６が手動操作のためにアクセス可能となる。リリース傾斜表面２６１は、対応するシートマウント２１内の各リリースボタン２６の端部に形成されている。リリース・コンタクト部分４２４は、各ロックコンポーネント４２上に対応して配置される。各リリースボタン２６が押されて、対応するコックコンポーネント４２を押圧し、対応するリリース傾斜表面２６１と対応するリリース・コンタクト部分４２４との協働により、対応するロックコンポーネント４２を揺動させて対応する第２固定コンポーネント４４から係合解除する場合、フロントサポート２３とリアレッグ２４とがリアサポート２２に関して枢動されて折畳可能になり、したがって、ベビーカーフレーム２を折り畳むという目的が達成される。
【００９５】
図１３〜図１６を参照されたい。図１３は、本発明の第６実施形態によるベビーカーを模式的に示す図である。図１４は、本発明の第６実施形態による、カバーコンポーネントを図示しないベビーカーの部分を示す図である。図１５は、本発明の第６実施形態による、ベビーカーフレーム５が展開状態にあるベビーカーの断面を示す図である。図１６は、本発明の第６実施形態によるベビーカーフレーム５の折畳状態のベビーカーの断面を示す図である。図１３〜図１６に示すように、この実施形態では、ベビーカーは、ベビーカーフレーム５と２つの折り畳み機構６とを含む。具体的には、ベビーカーフレーム５は、フロントサポート５１と、フロントサポート５１へと枢動するハンドルサポート５２と、ハンドルサポート５２へと枢動するリアサポート５３とを含む。２つの折畳機構６は、それぞれ、フロントサポート５１とハンドルサポート５２との２つの枢動ジョイント上に配置され、ベビーカーフレーム５の折畳動作を制限し又は可能にする。図１３に示すように、第１実施形態と同様に、ベビーカーは、さらに、シートをその上に取り付けることを可能にするための２つのシートマウント５４を含む。各折畳機構６の駆動コンポーネント６１は、対応するシートマウント５４の下部に摺動可能に配置される。被駆動傾斜表面６１１は、対応するシートマウント５４から露出する各駆動コンポーネント６１の端部に形成される。さらに、ベビーカーはまた、２つのリリースボタン５６を含む。各リリースボタン５６は、シートがベビーカーフレーム５から取り外された場合の手動操作のために、対応するシートマウント５４の上部に配置される。
【００９６】
図１４及び図１５に示すように、各折畳機構６は、第１固定コンポーネント６２、第２固定コンポーネント６４、ロックコンポーネント６５、弾性コンポーネント６６及びリンク要素６７を含む。２つの第１固定コンポーネント６２は、それぞれ、フロントサポート５１の２つの上端に固定される。２つの第２固定コンポーネント６４は、それぞれ、ハンドルサポート５２の２つの下端に固定される。各第１固定コンポーネント６２は、対応する第２固定コンポーネント６４へと枢動される。各ロックコンポーネント６５は、対応するリンク要素６７上に配置され、各リンク要素６７は、対応する第１固定要素６２上に摺動可能に配置され、その結果、各ロックコンポーネント６５は、対応するリンク要素６７の摺動運動中に、対応する第１固定コンポーネント６２に関して摺動するように、対応するリンク要素６７によって駆動されることができる。
好ましくは、リンク要素６７は、ロックコンポーネント６５を収容するためのスライドシートであることができる。しかしながら、これに限定されるものではない。展開係合スロット６４１は、対応するロックコンポーネント６５がその中に挿入されることができるように、各第２固定コンポーネント６４上に形成され、各ロックコンポーネント６５は、ベビーカーフレーム５が展開状態へと展開されるときに、対応する展開係合スロット６４１と整列される。各弾性コンポーネント６６は、対応するリンク要素６７を押圧する弾性力を提供するために、対応する第１固定コンポーネント６２と対応するリンク要素６７との間に配置され、対応するロックコンポーネン６５を駆動して対応する展開係合スロット６４１と係合させる。ベビーカーフレーム５が展開状態にある場合、各ロックコンポーネント６５は対応する展開係合スロット６４１と係合するように駆動され、その結果、ベビーカーフレーム５の折畳動作を制限することができる。
【００９７】
駆動傾斜表面６１２は、対応するシートマウント５４内の各駆動コンポーネント６１の端部に形成される。傾斜部分６５１は、各リンク要素６７の端部に形成され、対応する駆動傾斜表面６１２と協働するために、対応する駆動コンポーネント６１に向かって曲げられる。各駆動コンポーネント６１が、対応する駆動傾斜表面６１２と対応する傾斜部分６５１との協働によって対応するリンク要素６７を押圧するように摺動する場合、対応するリンク要素６７によって対応するロックコンポーネント６５が駆動されることができ、対応する第２固定コンポーネント６４から離れるように摺動し、弾性コンポーネント６６を圧縮する。各ロックコンポーネント６５が、対応する展開係合スロット６４１から係合解除するように摺動する場合、ベビーカーフレーム５の折畳動作が可能になる。
【００９８】
好ましくは、折り畳み係合スロット６４２は、各第２固定コンポーネント６４上に形成され、対応する展開係合スロット６４１の位置とは異なる位置に位置し、押圧傾斜表面６４３は各折り畳み係合スロット６４２の内周上に形成されている。図１６に示すように、ベビーカーフレーム５が折畳状態に折り畳まれる場合、各ロックコンポーネント６５は対応する折畳係合スロット６４２と整列し、変形した弾性コンポーネント６６によって対応する折り畳み係合スロット６４２と係合するように駆動されることができ、したがって展開状態のベビーカーフレーム５を維持し、ベビーカー５の意図しない展開動作を防止する。ベビーカーフレーム５を展開することが望まれる場合、２つのロックコンポーネント６５を駆動して２つの押圧傾斜表面６４３によって２つの折畳係合スロット６４２から係合解除させるように、フロントサポート５１をハンドルサポート５２から分離させるための力が必要となる。
【００９９】
図１４に示すように、各リリースボタン５６は、対応するリンク要素６７を押圧し、対応するロックコンポーネント６５を駆動し、リリース・リンクコンポーネント５７によって移動させる。各リリース・リンクコンポーネント５７の端部は、対応するリンク要素６７に枢動される。各リリース・リンクコンポーネント５７の別の端部は、第１固定コンポーネント６２の長孔５７１及びピン６２１によって対応する第１固定コンポーネント６２に接続される。当接カラム５６１は、各リリースボタン５６から対応するリリース・リンクコンポーネント５７に向かって突出する。斜面５７２は、各リリース・リンクコンポーネント５７上に形成される。各リリースボタン５６が押圧されると、対応する当接カラム５６１は対応するリリース・リンクコンポーネント５７を駆動し、対応する傾斜表面５７２に接触することによって対応する第１固定コンポーネント６２に関して移動させ、したがって、ベビーカーフレーム５の折畳動作を可能にする目的を達成するために、対応するリンク要素６７を押圧し、対応するロックコンポーネントを駆動して対応する第２固定コンポーネント６４から離れるように摺動させる。しかしながら、本実施形態に限定されるものではない。他の実施形態では、傾斜表面は、リリースボタン上に形成されることもできる。
【０１００】
なお、駆動傾斜表面、被駆動傾斜表面等を含む前記実施形態の前記表面は、平坦面であることもできることに留意されたい。しかしながら、これに限定されるものではない。別の実施形態では、前記表面は円弧表面であってもよい。
【０１０１】
当業者は、本発明の教示を保持しつつ、装置及び方法の多くの変更及び置換を行うことができることを容易に理解するであろう。したがって、上記の開示は、添付の特許請求の範囲の記載によってのみ限定されると解釈されるべきである。
【図１】
2021521055.tif 000003
【図２】
2021521055.tif 000004
【図３】
2021521055.tif 000005
【図４Ａ】
2021521055.tif 000006
【図４Ｂ】
2021521055.tif 000007
【図４Ｃ】
2021521055.tif 000008
【図４Ｄ】
2021521055.tif 000009
【図５Ａ】
2021521055.tif 000010
【図５Ｂ】
2021521055.tif 000011
【図５Ｃ】
2021521055.tif 000012
【図６Ａ】
2021521055.tif 000013
【図６Ｂ】
2021521055.tif 000014
【図６Ｃ】
2021521055.tif 000015
【図７Ａ】
2021521055.tif 000016
【図７Ｂ】
2021521055.tif 000017
【図７Ｃ】
2021521055.tif 000018
【図７Ｄ】
2021521055.tif 000019
【図８Ａ】
2021521055.tif 000020
【図８Ｂ】
2021521055.tif 000021
【図８Ｃ】
2021521055.tif 000022
【図８Ｄ】
2021521055.tif 000023
【図８Ｅ】
2021521055.tif 000024
【図８Ｆ】
2021521055.tif 000025
【図９】
2021521055.tif 000026
【図１０】
2021521055.tif 000027
【図１１】
2021521055.tif 000028
【図１２】
2021521055.tif 000029
【図１３】
2021521055.tif 000030
【図１４】
2021521055.tif 000031
【図１５】
2021521055.tif 000032
【図１６】
2021521055.tif 000033
【国際調査報告】
2021521055.tif 000034
2021521055.tif 000035
2021521055.tif 000036
2021521055.tif 000037
2021521055.tif 000038